(57)【特許請求の範囲】
【請求項１】
信号を取得し、測定値を算出する感知装置において、
複数の信号を生成するための複数の検出器および複数のエミッターを含むセンサー組立体であって、各エミッターは、血管に当たる前記エミッターから放射された光子のビームが前記複数の検出器に向かって部分的に反射するように向けられ、各検出器は、前記検出器により受け取られる前記反射されたビームの光子を表す前記複数の信号のそれぞれを生成するように構成される、センサー組立体と、
前記エミッターが前記光子のビームを放射するように前記エミッターを操作し、前記複数の検出器により生成された前記複数の信号を処理する、算出装置と、
エネルギーを貯蔵し、前記算出装置および前記センサー組立体に動力を供給するエネルギー貯蔵装置と、
前記センサー組立体、前記エネルギー貯蔵装置、および前記算出装置を取り囲むハウジングと、
を含み、
前記感知装置は、患者に植え込まれるように構成され、
前記エミッターおよび前記検出器は、植え込まれた際に血管の片側を向くように前記ハウジング内に配列され、
前記複数の検出器のそれぞれは、対応する前記エミッターから放射され、前記血管から反射された前記光子のビームを受け取るように、対応する前記複数のエミッターのそれぞれと対にされ、
前記処理は、前記センサー組立体から前記血管までの距離、前記血管の直径、および前記血管を流れる血液の酸素飽和度値を、植え込み後に算出することを含む、感知装置。
【請求項２】
請求項１に記載の感知装置において、
前記算出装置は、エミッターおよび検出器の対を選択的に作動させて、作動する対の数を最小限にし、エネルギーを節約する、感知装置。
【請求項３】
請求項１または２に記載の感知装置において、
前記算出装置は、スキャン法によって、前記血管の位置および直径を算出し、その後、前記血管に当たるであろうビームを生成すると予測されるエミッターを同時に作動させる、感知装置。
【請求項４】
請求項１〜３のいずれか１項に記載の感知装置において、
前記算出装置は、大動脈の場所、大動脈の直径、酸素飽和度、および心律動のうち少なくとも１つを算出する、感知装置。
【請求項５】
請求項１〜４のいずれか１項に記載の感知装置において、
前記複数のエミッターは、エミッターマトリックス状に配列され、前記複数の検出器は、検出器マトリックス状に配列される、感知装置。
【請求項６】
請求項１〜５のいずれか１項に記載の感知装置において、
前記センサー組立体および前記算出装置は、一部品に統合され、
前記装置は、２５セント硬貨を２枚重ねたのと同じ寸法である、感知装置。
【請求項７】
請求項１〜６のいずれか１項に記載の感知装置において、
通信信号を無線で送受信する１つまたは複数の通信装置をさらに含む、感知装置。
【請求項８】
請求項４に記載の感知装置において、
前記算出装置は、前記酸素飽和度および前記心律動のうち少なくとも１つに基づいて、患者の状態が正常であるかまたは異常であるかを判断する、感知装置。
【請求項９】
請求項８に記載の感知装置において、
前記状態が異常であるという前記判断に応答して、前記算出装置は、警報を伝達すること、治療を開始すること、薬剤を送達すること、定期的に情報を通信すること、および電気ショックを引き起こすことから選択される機能を実行する、感知装置。
【請求項１０】
請求項９に記載の感知装置において、
前記算出装置は、前記検出器によって生成された前記信号に基づいて第１のパラメータ値を算出し、
エミッターおよび検出器の対が、前記第１のパラメータ値に基づいて選択され、
前記選択されたエミッターおよび検出器の対が前記酸素飽和度値の測定に使用される、感知装置。
【請求項１１】
請求項１０に記載の感知装置において、
前記第１のパラメータ値は、前記血管の直径を含む、感知装置。
【請求項１２】
請求項１〜１１のいずれか１項に記載の感知装置において、
前記エネルギー貯蔵装置は、前記エネルギー貯蔵装置を再充電するためにエネルギーを受け取るエネルギーカプラーを含む、感知装置。
【発明の詳細な説明】
【開示の内容】
【０００１】
〔優先権主張〕
本出願は、名称を「OPTICAL SENSOR APPARATUS AND METHOD OF USING SAME」とする米国特許出願第１２／１１９，３１５号、名称を「DOPPLER MOTION SENSOR APPARATUS AND METHOD OF USING SAME」とする米国特許出願第１２／１１９，３３９号、名称を「INTEGRATED HEART MONITORING DEVICE AND METHOD OF USING SAME」とする米国特許出願第１２／１１９，３２５号、名称を「METHOD AND SYSTEM FOR MONITORING A HEALTH CONDITION」とする米国特許出願第１２／１１９，４６２号（全て２００８年５月１２日出願）、および名称を「DOPPLER MOTION SENSOR APPARATUS AND METHOD OF USING SAME」とする米国特許出願第１２／２０６，８８５号（２００８年９月９日出願）の優先権を主張する。これらは全て本出願と同じ発明者によるものであり、全出願は参照により全体として本明細書に組み込まれる。
【０００２】
〔発明の分野〕
本発明は、感知装置に関し、より具体的には、物体の位置を突き止め、かつ／または物体を測定するための感知装置に関する。
【０００３】
〔発明の背景および概要〕
医学的理由から、患者のin vivoパラメータは、ある期間にわたり監視されることを必要とする場合がある。心臓の不整脈は、心臓に血液を全身に送り出させる電気インパルスの正常なシーケンスの変化である。不整脈を検出するのに連続的な監視が必要とされることがある。これは、異常な心臓のインパルス変化が、散発的に起こるに過ぎない場合があるためである。連続的な監視により、医療関係者は、心臓の状態を特徴づけ、また、適切な治療過程を確立することができる。
【０００４】
心拍数を測定する先行技術の１装置は、Medtronic（米国ミネソタ州ミネアポリス）による「Reveal」モニターである。この装置は、例えば患者の失神（卒倒）が心臓の鼓動の問題に関係しているかどうかを判断する際に使用される、植え込み型心臓モニターを含む。Revealモニターは、最大１４ヶ月間、心拍数および心臓の鼓動を連続して監視する。卒倒症状の発現から目覚めた後、患者は、植え込まれたRevealモニターの上で皮膚の外側に記録装置を置き、ボタンを押して、モニターから記録装置にデータを移す。記録装置は、医師に提供され、医師は、記録装置に記憶された情報を分析して、異常な心臓の鼓動が記録されているかどうかを判断する。記録装置の使用は、自動的でも自発的（autonomic）でもなく、したがって、モニターから記録装置に情報を移すため、患者に意識があること、または別の人間の介入が必要とされる。
【０００５】
別の既知のタイプの植え込み型監視装置は、トランスポンダー型装置であり、この装置では、トランスポンダーが患者に植え込まれて、その後、ハンドヘルドの電磁式読取装置で、非侵襲的にアクセスされる。後者のタイプの装置の例は、米国特許第５，８３３，６０３号に記載されている。
【０００６】
第１の例示的な実施形態では、信号を取得し測定値を算出する感知装置が提供され、この感知装置は、複数のエミッターおよび複数の検出器を含んで複数の信号を生成するセンサー組立体であって、エミッターおよび検出器は、血管の片側に面する、センサー組立体と、複数のエミッターおよび検出器を操作し、複数の信号を処理して測定値を得る、算出装置と、センサー組立体および算出装置を取り囲むハウジングと、を含む。
【０００７】
感知装置の１つのバリエーションでは、算出装置は、パラメータ値を算出するアルゴリズムを含む。その一例では、パラメータ値は、センサー組立体から血管までの距離、および血管の直径を含む。その別の例では、パラメータ値は、血管により運ばれる流体のパラメータを含む。例示的な流体は血液を含む。その別の例では、パラメータ値は、大動脈の場所、大動脈の直径、酸素飽和度、および心臓の鼓動のうち少なくとも１つを含む。
【０００８】
感知装置の別のバリエーションでは、ハウジングは、皮下に植え込まれるように構成される。
【０００９】
感知装置のさらなるバリエーションでは、複数のエミッターは、マトリックス状に（in a matrix）配列される。一例では、複数の検出器は、マトリックス状に配列される。一例では、エミッターマトリックスは、４つのエミッターを４列含み、検出器マトリックスは、４つの検出器を４列含む。
【００１０】
感知装置のさらに別のバリエーションでは、各検出器は、異なるエミッターと操作的に対にされる。
【００１１】
感知装置のさらなるバリエーションでは、複数のエミッターにおけるエミッターの数は、複数の検出器における検出器の数とは異なる。
【００１２】
感知装置のなおさらなるバリエーションでは、感知装置は、２５セント硬貨を２枚積み重ねたものとほぼ同じ寸法である。
【００１３】
感知装置の別のバリエーションでは、センサー組立体および算出装置は、一部品に（in a single piece）統合される。
【００１４】
感知装置のなおさらなるバリエーションでは、感知装置は、通信信号を送受信する１つまたは複数の通信装置をさらに含む。その一例では、通信装置は、無線通信信号を送受信する。その別の例では、通信装置は、ドッキングステーションおよび第２の感知装置のうち１つまたは複数に動作可能に連結するように構成された、コネクタを含む。一例では、センサー組立体、算出装置、および１つまたは複数の通信装置は、一部品に統合される。
【００１５】
感知装置の別のバリエーションでは、感知装置は、エネルギーを貯蔵し、かつ算出装置およびセンサーに動力を供給するエネルギー貯蔵装置をさらに含む。その一例では、エネルギー貯蔵装置は、エネルギー貯蔵装置を再充電するためにエネルギーを受け取るエネルギーカプラーを含む。
【００１６】
第２の例示的な実施形態では、信号を取得し、測定値を算出する方法が提供される。この方法は、感知装置を提供することであって、感知装置は、複数の光子エミッターおよび検出器であって、エミッターはビームを放射し、検出器は、ビームを検出し、その検出したビームに対応する複数の信号を生成し、エミッターおよび検出器は、血管の片側を向く、複数の光子エミッターおよび検出器、ならびに、複数のエミッターおよび検出器を操作する算出装置を含む、提供することと、複数の信号を入手するために複数のエミッターおよび検出器を操作することと、測定値を入手するために複数の信号を処理することと、血管および流体のうち少なくとも一方の特性を示すパラメータ値を入手するために測定値を分析することと、を含む。
【００１７】
第２の例示的な実施形態のバリエーションでは、感知装置は、通信装置をさらに含み、方法は、パラメータ値のうち少なくとも１つを用いて状態を診断する工程と、診断工程に応答して機能を実行する工程と、をさらに含む。一例では、状態は、異常な状態である。別の例では、機能は、警報を伝達することである。さらなる例では、機能は、治療を開始することである。例示的な治療は、電気ショックである。別の例示的な治療は、薬剤を送達することである。別の例示的な機能は、定期的に情報を通信することである。
【００１８】
第２の例示的な実施形態の別のバリエーションでは、操作する工程は、測定値を入手するために、対になったエミッターおよび検出器を操作することを含む。その一例では、エミッターおよび検出器の対は、連続して操作される。その別の例では、エミッターおよび検出器の対は、同時に操作される。そのさらに別の例では、操作する工程は、第１のパラメータ値に対応する第１の複数の信号を入手するため、エミッターおよび検出器の対を連続して操作する工程と、第１のパラメータ値を入手する工程と、第１のパラメータ値に基づいて複数のエミッターおよび検出器の対を選択する工程と、第２のパラメータ値に対応する第２の複数の信号を入手するため、選択されたエミッターおよび検出器の対を同時に操作する工程と、を含む。例示的な第２のパラメータ値は、酸素飽和度値である。
【００１９】
第３の例示的な実施形態では、血管およびその血管を通って流れる血液のうち少なくとも一方の特性を光学的に測定する装置が提供される。この装置は、第１の側および第２の側を有するハウジングと、ハウジングに取り付けられるセンサー組立体であって、センサー組立体は、ハウジングの第１の側を通して光子を放出する複数のエミッター、および放出された光子の少なくとも一部を、ハウジングの第１の側を通して受け取る複数の検出器を含み、各エミッターは、別個の検出器と操作的に対にされており、センサー組立体に隣接した血管に当たる、エミッターから放射された光子のビームが、対をなす検出器に向かって部分的に反射するように向けられており、各検出器は、検出器により受け取られる放射光子を表す信号を生成するように構成される、センサー組立体と、複数のエミッターを作動させ、検出器からの信号を解釈して特性を決定するように構成された、算出装置と、を含む。
【００２０】
第３の例示的な実施形態のバリエーションでは、特性は、血管の直径である。
【００２１】
第３の例示的な実施形態の別のバリエーションでは、特性は、血液の酸素飽和度である。
【００２２】
第３の例示的な実施形態のさらなるバリエーションでは、エミッターおよび検出器の各対は、互いに対して角度をなして位置付けられる。その角度は、全てのエミッターおよび検出器の対について、同じである。
【００２３】
第３の例示的な実施形態のさらに別のバリエーションでは、算出装置は、複数のエミッターそれぞれを連続して個々に作動させて、血管の直径を決定する。その例では、算出装置は、複数のエミッター全てを同時に作動させ、血液の酸素飽和度を決定する。
【００２４】
添付図面と共に理解される本発明の実施形態に関する以下の説明を参照することにより、本発明の特徴およびそれらの特徴を得る方法がさらに明らかとなり、本発明自体が、よりよく理解されるであろう。
【００２５】
対応する参照符号は、いくつかの図面にわたって、対応する部品を示す。図面は、本発明の実施形態を表すが、これらの図面は、必ずしも縮尺どおりではなく、ある特徴部は、本発明をよりよく例示および説明するために、強調されているかもしれない。本明細書で述べる例示は、本発明の実施形態をいくつかの形態で例示しており、そのような例示は、いかなる方法によっても、本発明の範囲を制限するものと解釈されるものではない。
【００２６】
〔発明の実施形態の詳細な説明〕
以下に論じる実施形態は、包括的であること、または、以下の詳細な説明に開示される正確な形態に本発明を限定することを意図したものではない。むしろ、実施形態は、当業者がそれらの教示を利用できるように、選択され説明されている。
【００２７】
図１Ａは、本発明の一実施形態による感知装置１を示す。感知装置１は、概して、センサー組立体２、算出装置２０、通信装置３０、およびエネルギー貯蔵装置４０を含む複数の構成要素を含み、これらの構成要素はそれぞれ、ボード８０に取り付けられ、算出装置２０と電子通信している。構成要素は、ハウジング９０で囲まれている。センサー組立体２は、複数のエミッターを有するエミッターアレイ１００と、複数の検出器を有する検出器アレイ２００と、を含む。
【００２８】
本発明による一実施形態では、感知装置１は、患者の生理学的状態を決定するように構成される。「患者」とは、生理学的状態が感知装置１により測定される人間または動物を意味する。本明細書に開示する発明は、医学的状況で説明されるが、本明細書に開示する教示は、経時的に測定を行うために小型のデータ取得組立体が望ましい、他の状況で等しく適用可能である。例えば、本発明によるセンサー組立体は、水没するかまたは到達が困難な適用（submersed or difficult to reach applications）、危険な環境、重量およびサイズ制限を有する適用、実地調査活動などで、望ましい場合がある。
【００２９】
本発明による一実施形態では、感知装置１は、患者の身体において皮下に植え込まれる。しかしながら、感知装置１は、様々な植え込み技術を用いて異なる場所に植え込まれ得ることが理解されるべきである。例えば、感知装置１は、胸郭の下で胸腔内に植え込まれてよい。ハウジング９０は、円形または楕円形のディスクの形状に形成されてよく、寸法は、２５セント硬貨を２枚重ねたのとおおよそ同じである。当然のことながら、ハウジング９０は、適用に応じて、様々な他の形状で構成されてよい。ハウジングは、患者の身体内部で皮下に組立体を固定するために、縫合糸を受容するよう、図１Ｂおよび図１Ｃに示す、外側に突出する４つのループ９２を含むことができる。ハウジング９０の形状に応じて、より多いかまたはより少ないループ９２が設けられてよい。そのように固定されると、センサー組立体２は内側を向いて位置付けられ、一方、以下で詳細に説明するエネルギーカプラーは、外側を向く。
【００３０】
別の実施形態では、感知装置１は、患者の身体の外側に位置付けられる。支持部材が、身体の外側で感知装置１を支持するために設けられる。支持部材は、永続的または一時的に感知装置１に連結されることができる。一実施形態では、支持部材は、支持部材を患者の身体に接着連結する接着層を含む。別の実施形態では、支持部材は、患者の身体に対して感知装置１を保持するための、弾性であってよいベルトを含む。
【００３１】
感知装置１は、超音波機器などの外部マッピングシステムの助けを借りて、皮下に植え込まれるか、または患者の上に位置付けられることができる。適切に設置することで、目的の血管が、感知装置１の感知範囲内に確実に位置する。目的の血管が大動脈である場合、感知装置１は、患者の胸部または背中の上で、本明細書に記載する方法で取得される測定値の、肋骨による干渉を減少させる場所に、位置付けられてよい。
【００３２】
本発明による一実施形態では、感知装置１は、他の装置に接続し、かつ他の装置と情報交換するための通信ポートを有する。コネクタ８５が図示される。ボード８０を通じて感知装置１の他の構成要素に接続されるコネクタ８５の働きは、図６Ａおよび図６Ｂを参照して、以下でさらに詳細に説明する。
【００３３】
１．血管検出器
本発明による一実施形態では、感知装置１は、静脈または動脈などの血管中で運ばれる患者の血液のパラメータを感知する。例示的な実施形態では、感知装置１は、電磁スペクトルの赤外（ＩＲ）領域で電磁エネルギーのビームを放射し、血管中を循環する血液から反射されたＩＲ信号を検出する。しかしながら、本発明の教示に一致する他のタイプの電磁エネルギーが利用され得ることが理解されるべきである。感知装置１は、患者の身体による最小限の干渉または吸収でその身体を通過する能力と、所望の血液パラメータ値を伝達する能力に合わせて選択された特定の血液成分から反射する能力と、に合わせて選択された１つまたは複数の周波数でＩＲビームを放射することができる。例示的な実施形態では、感知装置１は、赤血球中の、鉄を含有し酸素を運ぶ金属タンパク質である、ヘモグロビンから反射するように選択された、赤外線ビームを放射する。
【００３４】
光セルアレイを用いて、ＩＲビームを放射および検出することができる。以下に詳細に開示するように、各アレイは、４つのセルをそれぞれ備える４つの列の格子状に配列された１６個の光セルを有するものとして表示される。以下に記載する特定の操作条件下で、エミッターアレイ１００の光セルは全て、同時にビームを放射するが、他の操作条件下では、各光セルは、選択された時間にビームを放射して、特定の情報を入手し、かつ／またはエネルギーを節約する。さらに別の実施形態では、光セルは、エミッターおよび検出器が、エミッターおよび検出器の互い違いの横列もしくは縦列をなして（in alternating rows or columns）、間隔を置いて配置され、かつ／または分散される配列を含む、あらゆる方法で、感知装置の表面上に分散される。
【００３５】
図２は、赤血球５中にヘモグロビンを有する血液４を運ぶ血管３と、一対の光セル、エミッター１０１および検出器２０１、すなわちセンサー組立体２、との間の関係を示す。センサー組立体２は、Motorolaにより製造された８５７２系の光センサーから選択されてよい。エミッター１０１は、光子１０１’を含む光子のビームを放射する。図３を参照して以下でさらに詳細に説明するように、ビーム中の光子の一部は、血管３を通過し、一部は、この例では光子１０１’を含む、反射ビームとして反射される。受信機２０１が反射ビームを受け取る。算出装置２０は、ビームを放射するようにエミッター１０１を向け、セル２０１が反射ビームを検出するのに必要な時間を測定する。ビームは、既知の一定の速度で組織の中を移動する。矢印９で示す、中心線８上の光セル１０１と光セル２０１との間の中間点から血管３までの距離は、放射と検出との間の移動時間、および光セル１０１と光セル２０１との間の幾何学的関係から計算され得る。
【００３６】
一実施形態では、エミッター１０１により放射されるビームを少なくとも部分的に焦点に集める（focus）ために１つまたは複数のレンズが含まれてよく、ビームの断面寸法は、ビームの移動距離にわたり、ビームの元の寸法のほんのわずかな割合以内で、一定のままである。各エミッターにより生成されるビームを焦点に集めるために、コリメーターが含まれてよい。次にエミッタービームは、検出器により生成される信号と相互に関連付けられ、血管に関する追加情報を提供することができる。
【００３７】
図３および図４は、エミッターアレイ１００および検出器アレイ２００それぞれに位置付けられた送信機および受信機を含む、センサー組立体２の一実施形態を示す。エミッターアレイ１００は、マトリックス状に配された１６個のエミッター１０１〜１１６を含み、算出装置２０により方向付けられる１６本のビームを放射することができる。単純にするために、図３では、エミッター１０４からの放射ビーム１０のみが図示される。ビーム１０の一部が、反射ビーム１１として血管３から反射される。数字７は、ヘモグロビンにより反射されなかった、ビーム１０の一部を表す。検出器アレイ２００は、マトリックス状に配された１６個の検出器２０１〜２１６を含む。検出器アレイ２００は、反射ビーム１１中の光子を受け取る。さらに具体的には、この例では、検出器２０４が、反射ビーム１１中の光子を受け取る。
【００３８】
それぞれ４個のセルからなる４つの横列を含む例示的な正方形のマトリックスが図示されるが、セルのサイズ、所望の測定精度、およびセンサー組立体２と標的血管との間の距離に応じて、より多いかまたはより少ないセルが、センサー組立体２に配されてもよい。その意図する目的に適した反射ビームを提供するため、十分な光子が放射されなければならない。別の実施形態では、各アレイは、２５個のセルを含む。さらに別の実施形態では、各アレイは、１２個のセルを含む。エミッターおよび検出器アレイ中のセルの数、ならびに各セルのサイズを等しくする必要はない。追加の検出器を検出器アレイに加えて、さらに以下に説明するように、血管のマッピングの解像度を増大させることができる。一実施形態では、検出器アレイ２００における検出器は、正方形であり、各辺の長さは、１ｍｍである。別の実施形態では、各辺は、２．５ｍｍである。放射ビームの幅は、距離と共にわずかに広くすることができる。例えば、２．５ｍｍのビームは、そのビームが１０ｃｍの距離に位置する血管に当たるときに約３．５ｍｍまで広くされてよい。
【００３９】
図４は、図３に示されたセンサー組立体２の概略的表示の側面図を示す。エミッターアレイ１００の各エミッターが、検出器アレイ２００の対応する検出器と対にされることが理解されるべきである。さらに具体的には、エミッター１０１は検出器２０１と対にされ、エミッター１０５は検出器２０５と対にされ、エミッター１０９は検出器２０９と対にされ、エミッター１１３は検出器２１３と対にされる。残りのエミッターおよび検出器（不図示）は、同様に対にされる。本発明の一実施形態では、エミッターと、その対を成す検出器との間の角度は、各対について同じである。図示のように、放射ビーム１１３Ｅは、血管３の方に向けられ、そのビームが血管３に当たると、反射ビーム１１３Ｒが検出器２１３により受け取られる。各センサー組立体２について、放射ビーム１１３Ｅおよび反射ビーム１１３Ｒにより形成される角度は、その他のエミッターセル／検出器セル対の放射ビームおよび反射ビームにより形成される角度と同じである。この角度は、本明細書では共通角と呼ぶ。
【００４０】
しかしながら、それぞれのエミッターおよび検出器対の間で異なる共通角を有する、様々な異なるセンサー組立体２を構築し得ることが理解されるべきである。例えば、図４のエミッターアレイ１００のセルと、検出器アレイ２００の対をなすセルとの間の共通角は、４５°であってよい。患者の身体内にさらに入り込むように構成された別のセンサー組立体２では、それらの対間の共通角は、３０°であってよい。患者の解剖学的構造が、使用するのに適切なセンサー組立体２を決定し得る。例えば、感知装置１が、非常にやせた患者または非常に小柄な患者において皮下に植え込まれる場合、センサー組立体２と目的の血管３との間の距離は、非常に太った患者または非常に大柄な患者における対応する距離に比べて、小さくなり得る。したがって、エミッターと、対をなす検出器との間により大きな共通角を有するセンサー組立体２が、やせた患者に適切であり、一方、より小さな共通角を有するセンサー組立体２が、太った患者に適切であろう。
【００４１】
いくつかの実施形態では、エミッターアレイ１００および検出器アレイ２００は、互いに対して角度をなして、感知装置１に取り付けられてよいことがさらに理解されるべきである。図４では、エミッターアレイ１００および検出器アレイ２００は、共面である（すなわち、互いに対してゼロの角度にある）。エミッターアレイ１００および検出器アレイ２００に関するサイズの制約または所望の取り付け場所の結果、これらのアレイは、この図面に点線で示すように、互いに向かって傾斜されてよい。
【００４２】
図５Ａ〜図５Ｃは、図４に示すセンサー組立体２の概略的表示であり、血管３に対して垂直に方向付けられた小血管１２が追加されている。図５Ａでは、エミッターアレイ１００および検出器アレイ２００の外縁に沿ったセルのみが図示されている。各エミッターセル１０１、１０５、１０９、１１３は、ＩＲビーム１０１Ｅ、１０５Ｅ、１０９Ｅ、１１３Ｅをそれぞれ放射する。血管１２は、図面中さらに遠くにあり、また放射ビーム１０１Ｅ、１０５Ｅ、１０９Ｅ、１１３Ｅのいずれも血管１２に当たらないので、透視図で示されている。図示のとおり、放射ビーム１０１Ｅは、血管３および１２に完全に達し損なう。したがって、検出器２０１によって検出される反射ビームはない。放射ビーム１０５Ｅの一部が血管３に当たる。血管３に当たる光子の一部が、反射ビーム１０５Ｒとして検出器２０５において反射および検出される。放射ビーム１０９Ｅは全て、血管３に当たる。血管３中のヘモグロビンにより反射される放射ビーム１０９Ｅの光子の部分は、反射ビーム１０９Ｒとして検出器２０９において検出される。放射ビーム１０１Ｅと同様に、放射ビーム１１３Ｅの一部のみが、血管３に当たり、検出器２１３において反射ビーム１１３Ｒをもたらす。
【００４３】
図５Ａに比べ、図５Ｂは、第２の縦列のエミッター１０２、１０６、１１０、１１４および第２の縦列の検出器２０２、２０６、２１０、２１４を通る平面の、本質的にページ内にさらに遠くまで入り込む図（view farther into the page）である。この図では、血管１２は、エミッター１０２、１０６、１１０および１１４から放射されるビームにより照らされるエリアに位置するので、実線で図示されている。作動されると、エミッター１０２は、放射ビーム１０２Ｅを放射し、放射ビーム１０２Ｅは、完全に血管３に届き損なう。しかしながら、放射ビーム１０２Ｅの一部が、血管１２に当たり、当たる光子の一部が、反射ビーム１０２Ｒ’として反射される。この例では、反射ビーム１０２Ｒ’のいずれも、血管１２の場所のために、検出器２０２により検出されない。図５Ａの放射ビーム１０５Ｅと同様に、放射ビーム１０６Ｅの一部が血管３に当たる。しかしながら、ここでは、放射ビーム１０６Ｅの別の部分が、血管３に到達する前に血管１２に当たる。血管１２に当たる光子のうちいくつかは、反射ビーム１０６Ｒ’として反射され、反射ビーム１０６’は、検出器２０６により検出されない。したがって、血管３に当たる放射ビーム１０６Ｅの部分は、血管１２の干渉のため、血管３に当たった放射ビーム１０５Ｅの部分よりも小さい。したがって、検出器２０６において検出される反射ビーム１０６Ｒは、検出器２０５において検出される反射ビーム１０５Ｒより低い強度を有する。同様に、血管１２の干渉は、反射ビーム１１０Ｒ’および反射ビーム１１４Ｒ’を結果として生じ、これらにより、検出器２１０および２１４それぞれで検出される反射ビーム１１０Ｒおよび１１４Ｒにおける光子の数が減少する。
【００４４】
図５Ｃは、第３の縦列のエミッター１０３、１０７、１１１、１１５および第３の縦列の検出器２０３、２０７、２１１、２１３を通る平面の、本質的にページ内にさらに遠くに入り込む図である。図５Ｃでは、血管１２は、放射ビーム１０３Ｅ、１０７Ｅ、１１１Ｅ、１１５Ｅにより照らされるエリアを占めていないので、再び透視図で示されている。血管１２が放射ビームに干渉せず、血管３の場所が図５Ａに図示されるものと同じであるので、放射ビーム１０３Ｅ、１０７Ｅ、１１１Ｅ、１１５Ｅの移動経路、および結果として生じる反射ビーム１０７Ｒ、１１１Ｒ、１１５Ｒの特性は、図５Ａに関して説明した対応するビームと同じである。
【００４５】
本発明の一実施形態によると、算出装置２０は、検出器アレイ２００から受信した信号をフィルタリング、スケーリング、および調節することによって、それらの信号を処理し、検出器アレイ２００により受信されたビームの強度すなわち動力に対応する測定値を計算する。一実施形態では、算出装置２０は、検出器アレイ２００により生成されたアナログ信号をデジタル化する。以下の表１および表２では、１の値は、全動力の１００％を示す。言い換えれば、１の値は、対応するエミッターセルが目的の血管３の最大干渉（したがって血管３による反射）に遭遇する波を発する場合に検出器セルにより受け取られると予測される動力に等しい。代替的な実施形態では、電子回路（不図示）を使用して、検出器アレイ２００から受信される信号をフィルタリング、スケーリング、および調節し、電子回路の出力が、処理のため算出装置２０に与えられる。別の工程では、算出装置２０は、以下でさらに説明するように、測定値を評価およびマッピングして、血管３の場所および直径を決定する。
【００４６】
本発明による一実施形態では、０．７ｃｍの幅を有する血管部分に等しくなるように、全動力信号（full power signal）をスケーリングする。全動力の各断片は、０．７ｃｍ幅の断片を直線的に表す。血管の幅すなわち直径は、場合によっては、検出器セルの横列または縦列における測定値を加えることにより計算される。血管の直径は、縦列の値を加えたときの２つまたは３つ以上の横列または縦列における測定値が、１０％未満だけ異なる場合に、識別される。別の実施形態では、血管の直径は、２つまたは３つ以上の横列または縦列における測定値が、５％未満だけ異なる場合に、識別される。
【００４７】
表１は、図４に示す血管３の描写に対応する測定値の概念的表示を示す。これらの値は、エミッター１０１〜１０４から放射されたビーム中の光子はいずれも、アレイ２００の、対をなす検出器２０１〜２０４によって反射されず、かつその後検出されなかったことを示す。第２の横列（検出器２０５〜２０８）および第４の横列（検出器２１３〜２１６）のセルによりさらに多くの光子が検出され、第３の横列（検出器２０９〜２１２）のセルにより、いっそう多くの光子が検出された。表１から明らかであるが、検出器の各縦列で検出された信号は同じである。全動力信号が０．７ｃｍに等しい、前記に開示した実施形態によると、血管３の幅すなわち直径は、縦列の各検出器の信号に０．７ｃｍを掛け合わせ、結果として生じる積を足すことにより、算出されることができる。さらに具体的には、この例の血管３の直径は、０．０＊０．７＋０．８＊０．７＋１．０＊０．７＋０．８＊０．７、すなわち１．８２ｃｍである。
【表１】
0005497008.tif 000002
【００４８】
表２は、図１と同様であるが、図５Ａ〜図５Ｃに示す血管３および１２の描写に対応する、処理値の概念表示を示す。検出器２０６、２１０および２１４に対応する縦列２の減少した値は、図５Ｂに示すように血管１２により生じる干渉を表す。縦列１、３および４の値は、５％未満だけ異なる（実際には、図示のとおりそれらは同一である）。したがって、算出装置２０は、縦列２の信号を無視し、前述したように、縦列１、３または４のいずれかの信号を用いて血管２の直径を算出することができる。
【表２】
0005497008.tif 000003
【００４９】
本発明による一実施形態では、所定のサイズより小さい直径を有する血管の存在を示す測定値は、削除されるか、または除去されて、目的の血管の、より明確な表示を得る。一実施形態では、１ｃｍ未満の血管直径に対応する測定値は、削除される。そのような実施形態では、目的の血管は、感知装置１の取り付け場所付近のほぼあらゆる他の血管よりも実質的に大きい、既知のおおよその直径（患者の身体特性による）を有する、大動脈である。
【００５０】
前述したように血管の直径を決定し、その場所をマッピングする際に、各エミッター１０１〜１１６は、立て続けに個々に作動されることが理解されるべきである。様々な図面でいくつかの放射ビームが同時に図示されているが、１回にただ１つのビームが放射されて、ビームの重ね合わせを避け、そのような重ね合わせにより混同されない信号を生成する。１つのビームを放射し、対をなす検出器において１つの反射ビームを受け取ることにより、各信号は、血管に関する、混同されない情報（un-confounded information）を与える。各信号は、単一のビームが経験する干渉および拡散を表す。本発明の一実施形態では、ビームは、エミッター１０１から始めて、横列ごとにスキャンする形で個々に放射され、これは、エミッター１１６が作動されるまで連続的に追随された（followed）。他の実施形態では、他のシーケンスが追随された。
【００５１】
アレイの検出器がスキャンされると、各検出器により生じた信号は、各ビームが経験する干渉および拡散を表す。概して、スキャンは、血管の場所および直径のマッピングについて情報を与える。血管内の血液が十分に酸素添加されている場合、血液は、より多くの鉄を含有し、検出器は、全動力（full power）を表す信号を生成する。血液が十分に酸素添加されていない場合、検出器は、全動力未満を示す信号を生成する。しかしながら、スキャンは迅速に行われるので、酸素添加レベルは、各スキャンサイクル中、一定であり、したがって、各検出器により受け取られるビームの動力差は、酸素添加レベルに関係なく、血管の位置および直径をマッピングするのに使用されることができる。
【００５２】
大動脈付近にある肺動脈の直径は、大動脈の直径と同様である。したがって、大動脈の直径を識別および測定するためには、感知装置１は、肺動脈と大動脈とを見分けなければならない。これは、肺動脈および大動脈双方が所定の直径閾値を超える直径を有するためである。感知装置１は、それぞれの酸素飽和度を測定し、最も高い酸素飽和度を有する血管（肺動脈は脱酸素化血液を心臓（heat）から肺へ運ぶので、これは常に大動脈である）を選択することによって、２つの血管を見分ける。
【００５３】
酸素飽和度を測定する際、感知装置１は、エミッターアレイ１００の全エミッター１０１〜１１６を同時に作動させる。まず、感知装置１は、既に述べたスキャン法によって、大動脈などの目的の血管の位置および直径を算出する。血管の寸法、エミッターアレイおよび検出器アレイと血管との間の幾何学的関係、ならびにエミッターアレイおよび検出器アレイの物理的特性、例えば、アレイのサイズ、エミッタービームの幅、エミッターおよび送信機の配置、に基づいて、感知装置１は、既知の光子拡散等式に従って、潜在的な最大酸素飽和度値を算出する。各患者の生理学的特性は異なるので、感知装置１は、算出装置２０のメモリに記憶された基準値を用いて、各患者について、潜在的な最大値を較正することができる。感知装置１はその後、エミッターアレイからビームを同時に放射し、検出器アレイにおいて反射ビームを検出し、反射ビームを動力信号に変換する。一実施形態では、感知装置１は、血管により反射された光子を受け取る検出器から生成される信号をまとめ、総計値を潜在的な最大値で割って、飽和比率を得る。飽和比率は、血管を通って流れる血液中の飽和度を表す。別の実施形態では、感知装置１は、血管に当たるであろうビームを生成すると予測されるエミッターを作動させるにすぎず、ビームが血管に当たらないであろうエミッターは作動させずに、エネルギーを節約する。別の実施形態では、感知装置１は、その血管に当たり、他の血管には当たらないであろうビームを生成すると予測されるエミッターを作動させるのみで、エネルギーを節約し、光子拡散計算を単純化する。さらなる実施形態では、感知装置１は、エミッターおよび検出器の対を選択的に作動させて、作動する対の数を最小限にし、動力を節約することができる。
【００５４】
通常の操作条件下で、感知装置１は、酸素飽和度測定を１日当たり１回または２回行うことができる。異常な状態が検出された場合、または、以下に説明するような鼓動検出器として機能する場合、感知装置１は、短い期間中に、複数回の酸素飽和度測定を行うことができる。非常に頻繁に測定を行う場合はかなりの電力が消費されるが、取得されるデータは、患者の健康にとって重要である場合がある。
【００５５】
一実施形態では、感知装置１は、心臓の鼓動も計算する。先に論じたように、検出器は、血液中の鉄含有量を表す動力信号（power signals）を生成する。心臓は、大動脈を通じて酸素添加された血液を送り出すので、動力信号は変動する。複数の動力信号を立て続けに入手して、動力測定変動をとらえることができる。さらに具体的には、ある期間にわたり（例えば１５秒）多数の酸素飽和度測定（例えば１秒当たり１０回）を行うことによって、飽和度測定は、心臓の鼓動を表すパターンまたは周期性を示す。算出装置２０は、飽和度測定値に合う曲線、例えば正弦曲線、を定めることができ、この曲線は、心臓周期に直接対応している。算出装置２０は、曲線のピーク値の周波数を決定して、その期間を決定することができる。各期間は心臓周期を表す。サンプル期間（例えば、１５秒）における心臓周期の数に、適切な因子を掛け合わせることにより、算出装置２０は、１分当たりの心臓周期に関して、脈拍数を決定することができる。一実施形態では、算出装置２０は、正常な基準値として心臓の鼓動値を記憶し、心臓の鼓動値を基準値と比較することにより、異常または不規則な心律動を検出する。
【００５６】
本発明による感知装置１の別の実施形態では、センサー組立体２、および感知装置１の他の特徴部は、ペースメーカー、心臓再同期療法（ＣＲＴ）装置、植え込み型除細動器（ＩＣＤ）などといった、植え込み型心臓装置と統合される。
【００５７】
２．算出装置
算出装置２０は、複数の構成要素を含む。構成要素は、独立した構成要素であるかのように本明細書で説明されるが、これらの構成要素は、特定用途向け集積回路などの単一の装置に組み合わせられてよい。算出装置２０は、プロセッサ、メモリ、プログラム、入力および出力を含む。メモリは、ＲＡＭ、ＲＯＭ、ＥＥＰＲＯＭ、フラッシュメモリまたは他のメモリテクノロジーを含んでよいが、これらに限定されない。プロセッサおよびメモリは、集積回路の中に構築されてよい。集積回路は、エミッターアレイ１００、検出器アレイ２００、および通信装置３０を含むことができる。さらに、算出装置２０は、集積回路上にＡ／Ｄおよび／またはＤ／Ａ変換器を含んでよい。代わりに、Ａ／Ｄおよび／またはＤ／Ａ変換器が別個に設けられてもよい。
【００５８】
プログラムは、データに応答してタスクを実行するようプロセッサに指示する、コンピュータ命令を表す。プログラムは、メモリ中に存在する。基準データおよび測定データを含むデータもメモリ中に存在する。基準データは、外部入力に応答して、または経時的に収集された測定データの特性に応答して、ＲＯＭに記憶されてよく、または経時的に変更され得るようＲＡＭに記憶されてもよい。測定値に応答するプロトコルも設けられてよい。プロトコルは、持続性メモリに記憶されてよく、または、ＲＡＭなど非持続性メモリに記憶されてもよい。
【００５９】
算出装置２０は、入力および出力を通じてセンサー組立体２および通信装置３０を制御する。算出装置２０は、エミッター１０１〜１１６により放射された複数のビームの数、周波数、動力レベル、および放射順序（emission sequence）を制御して、最小量のエネルギーを用いて所望の測定値を得ることができる。
【００６０】
図６Ａは、感知装置１と情報を交換するシステム３００を開示する。システム３００は、通信装置３０を有する感知装置１と、オプションとしてコネクタ８５と、を含む。システム３００は、コンピュータ３０２、ケーブル３０３によりコンピュータ３０２に動作可能に連結されたドッキングステーション３０４、電話３０６も含んでよい。本発明の一実施形態では、システム３００は、算出装置２０により実行される処理に基づいて、感知装置１に／感知装置１から、無線で通信信号３１２を送受信する。
【００６１】
コネクタ８５は、ドッキングステーション３０４に差し込まれるように構成される。ドッキングステーション３０４上にドッキングされた感知装置１が図示される。ドッキングされている間、感知装置１は、エネルギー貯蔵装置４０を充電することができる。ドッキングステーションは、コンピュータ３０２に動作可能に連結されて、患者の上または中に感知装置１を置く前に算出装置２０のメモリに記憶されたプログラムおよび基準値を更新する。別の実施形態では、感知装置２は、患者の外部に位置付けられ、コネクタ８５は、エネルギー源に操作上連結されて、感知装置２に動力を与え、エネルギー貯蔵装置４０の消耗を防ぐ。
【００６２】
本発明によるさらなる実施形態では、追加のセンサーおよび装置が、コネクタ８５を通じて感知装置１に連結されることができる。他のセンサーおよび装置は、追加のセンサー組立体２、温度センサー、圧力センサー、および加速度計を含んでよいが、これらに限定されない。その他の装置は、算出装置を含んでも含まなくてもよい。他の装置はまた、ハウジング９０内で感知装置１と組み合わせられてよい。統合感知装置が、名称を「INTEGRATED HEART MONITORING DEVICE AND METHOD OF USING SAME」とする、前記に参照した関連の米国実用新案出願に開示されている。感知装置１の働きは、追加のセンサーおよび装置を操作するように構成された修正プログラムを、算出装置２０のメモリにダウンロードすることによって、追加のセンサーおよび装置を操作するように構成されてよい。ダウンロードは、算出装置２０がドッキングステーションにドッキングされている間に行われてよい。あるいは、新しいプログラムが、算出装置４０を通じて無線でダウンロードされてもよい。
【００６３】
図７は、本発明の一実施形態による算出装置２０によって実行されるプログラムの１つのルーチンを示すフローチャートである。工程４００で、算出装置２０がセンサー組立体２を作動させ、前述したように実行されている測定に応じて、全エミッター１０１〜１１６がビームを放射するか、またはエミッターが連続的に個々のビームを放射する。工程４００は、反射ビームを表す、検出器２０１〜２１６における信号を生成する手順も表す。
【００６４】
工程４０２で、算出装置２０は、信号を処理して測定値を得る。処理には、固有の信号ノイズを除去すること、信号をアナログ形態からデジタル形態に、光学形態からデジタル形態に（optical to digital form）変換すること、検出した信号をスケーリングし、また別様に調節することを含んでよい。代わりに、いくつかの処理機能を、Ａ／Ｄ変換器などの回路によって行ってもよい。処理後、測定値は、メモリに記憶されてよく、またはその値を記憶させるべきかどうか決定するために分析されてよい。工程４００および４０２は、前記の開示に従って所望のパラメータを計算するため十分な測定値を得るように、必要に応じて繰り返されてよい。工程４００および４０２は、同時に行われてよい。
【００６５】
工程４０４で、算出装置２０は測定値を分析する。分析は、パラメータデータの計算、および／または診断を含み得る。パラメータデータは、血管の直径および場所、酸素飽和度、心律動などといった計算値を指す。診断は、患者の異常な状態を検出するため、パラメータ値を基準値と比較することを指す。基準データは、患者の正常な状態に対応する。異常な状態が検出された場合、算出装置２０は、測定値が収集されたときにそれらを通信する（不要な動力を消費する）か、または、メモリがいっぱいになるかもしくは所定の送信時間に達するまで測定値を送信するのを待つ（患者を待機期間中に不要な危険に曝す）のではなく、警報を伝達することができる。
【００６６】
基準値は、標的の値、および許容可能な変動範囲もしくは限界を含むことができる。パラメータ値は、それらが標的の基準値または範囲外である場合に、異常を示すことができる。いくつかの実施形態では、パラメータ値は、例えば移動平均などの統計値を生成でき、パラメータの統計値が、予測量を超えて、基準の統計値と異なる場合に、異常が検出される。
【００６７】
パラメータデータが、所定量を超えて、予測値と異なる場合、算出装置２０は、新しい測定サイクルを開始し、異常を診断する前にパラメータデータを確認することができる。一実施形態では、算出装置２０は、測定値が予測値と１０％超異なる場合に、大動脈の場所および直径を再びマッピングする。別の実施形態では、算出装置２０は、測定値が予測値と５％超異なる場合に、大動脈の位置および直径を再びマッピングする。
【００６８】
１つの異常な医学的状態は、低酸素飽和度である。算出装置２０は、例えば酸素飽和度値が低すぎるかどうかを決定するために、測定値の分析を実行するよう構成されていてよい。「正常な」酸素飽和度の値は、患者ごとに様々であり、患者の状態次第であるが、概して、９０％未満の酸素飽和度測定値は、低いとみなされる。別の異常な医学的状態は、前述した方法で検出され得る不規則な心律動である。
【００６９】
さらなる異常な医学的状態は、外部で、または追加のセンサーから得られた値を使用して検出されることができる。感知装置１に含まれ得る追加のセンサーは、名称を「DOPPLER MOTION SENSOR APPARATUS AND METHOD OF USING SAME」および「INTEGRATED HEART MONITORING DEVICE AND METHOD OF USING SAME」とする、前記に参照した、関連の米国実用新案出願に開示される。
【００７０】
感知装置１がドップラーセンサーを含む実施形態では、血管の直径および場所は、流体の速度およびポンプ速度（pumping rate）を計算するのに使用されてよい。血管が大動脈である場合、これらのパラメータは、心臓出力に関係する異常な状態を計算および診断するのに使用されてよい。大動脈パラメータは、ドップラーセンサーで得られた収縮期および拡張期の血液速度値と組み合わせられて、収縮期および拡張期の血圧を計算することができる。他のセンサーは、ＥＣＧセンサーおよび温度センサーを含み得る。
【００７１】
工程４０６で、算出装置２０は、異常な状態、特に、定められたプロトコルに従って重篤または危険な状態と判断される状態、が検出されると、警報を送信する。警報は、警報装置を始動させるか、または治療行為を行うよう患者に警告するために使用されることができる。治療行為は、身体活動を終了させるか、または低減させる場合がある。警報は、全地球測位（ＧＰＳ）情報を救急施設（emergency service）に与えることもできる。図６Ａを参照すると、異常な状態は、存在することが発見されると、コンピュータ３０２に表示され、かつ／または、通信装置３０（例えば、NokiaモデムKNL 1147-V）によって介護者に送信されることもできる。警報は、状態に対応するテキストメッセージまたはコードを含むことができる。算出装置２０はまた、異常な状態の検出に応答して連続的に、新しい測定サイクルおよび測定を開始することもできる。
【００７２】
工程４０８で、算出装置２０は、治療を開始することができる。感知装置１は、通信装置３０を通じて、警報に応じて治療を実行せよという外部コマンドを受信することができる。オプションとして、プロトコルに基づいて、異常な状態は、治療を施すように構成された装置に、そのような治療を実行する（deliver）よう指示するために、用いられてもよい。治療には、例えば電気ショックまたは薬剤送達が含まれ得る。
【００７３】
工程４１０で、パラメータ値または他の情報が、外部装置に伝達される。工程４１０は、前記工程のいずれとも同時に実行されてよい。パラメータ値は、メモリに記憶され、また通信装置３０によって無線で送信されることができる。通信装置３０からの通信信号は、異常な状態に応答して、外部で受信したコマンドに応答して、メモリの使用が所定量を超えるたびに、またはエネルギー貯蔵レベルが低いと判断されるたびに（後者の２つの状態は、メモリのオーバーフローの結果としてのデータロス、もしくはエネルギーロスを防ぐために確立された）、定期的に作動されることができる。感知装置１が通信装置３０に加えて通信装置を含み得ることも理解されるべきである。例えば、通信装置３０がセルラーモデムである場合、感知装置１は、バックアップブルートゥースまたはＲＦ通信装置も含むことができる。このようなバックアップ装置は、セルラーモデムが（例えば、利用可能な動力が低い、セルラー信号または他の通信信号の受信が不良、ネットワーク範囲が不良などのため）情報を送信できない状況で、代替的な通信手段を提供するために望ましい場合がある。このような状況では、算出装置２０は、バックアップ通信装置を作動させて、情報または警報を、代替的な外部受信装置に送信することができる。
【００７４】
工程４１０は、実質的にリアルタイムで介護者に最新情報を与えるように、例えばいったん異常な状態が検出されると実行されることができる。工程４１０は、１日に１回、１週間に１回、１ヶ月に１回などといった、規則的な間隔で行われてもよい。代わりに、またはこれらの送信に加えて、算出装置２０は、要求されたデータ、または要求されたデータを表す情報を通信装置３０に送信させることによって、（例えばヘルスケア提供者から）通信装置３０により受信されたデータの要求に応答するよう、プログラムされることができる。
【００７５】
通信信号は、状態への注意を患者に喚起するように、患者の近くの設備により受信されるか、またはヘルスケア提供者、親族、もしくは他の所定のレシピエントによって、遠隔的に（例えばネットワークを介して）受信されることができる。
【００７６】
３．通信装置
再び図６Ｂを参照すると、本発明の一実施形態による、通信信号を送受信するように構成されたシステムが示されている。通信装置３０は、例えば携帯電話システムおよび／またはＧＰＳ衛星システムを介する、双方向通信装置である。通信装置３０は、通信信号を送受信するアンテナ３２を含む。数字３１２で識別される通信信号は、オプションの複数の外部通信装置のうち１つに、かつ、そこから、無線で移動する。
【００７７】
外部通信装置は、コンピュータ３０２、または本明細書では携帯電話として具現化される、通信信号を無線で受信できる任意の電子装置、例えば電話３０６であってよい。電話３０６は、救急施設の配電盤、または病院もしくは医療センターの配電盤であってもよい。通信信号は、信号の情報をコード化するように設定または変更された、その特性のうち１つまたは複数を有する信号を意味する。限定ではなく一例として、通信信号は、音響媒体、ＲＦ媒体、赤外媒体、他の無線媒体、および前記のうちいずれかの組み合わせを含む。外部通信装置はまた、患者の身体の外側に位置する、例えば患者のベルトにクリップで留められた、リレーユニットであってもよい。リレーユニットは、通信装置３０からの送信を受信する受信機、および、通信信号を別の外部通信装置に再送信する送信機を含むことができる。リレーユニットはまた、インターネットへ接続されるか、またはヘルスケア提供者のコンピュータに直接接続されるように、固定され、かつ配線で接続されていてもよい。同様に、リレーユニットは、ヘルスケア提供者から通信信号を受信し、その信号を通信装置３０に送信することができる。
【００７８】
通信装置３０からの通信信号は、音声メッセージ、テキストメッセージ、および／または測定データを含むことができる。通信装置３０により受信された通信は、更新された基準データなどのデータ、またはコマンドを含むことができる。コマンドは、例えば、患者に治療を施す、追加データを収集および送信する、または基準データを更新するなどのタスクを実行するための、算出装置２０への命令を含むことができる。本発明による情報を通信する方法のさらなる実施形態は、名称を「METHOD AND SYSTEM FOR MONITORING A HEALTH CONDITION」とする、前記に参照した、関連の米国実用新案出願に開示されている。
【００７９】
４．エネルギー貯蔵装置
再び図１Ｂ、図１Ｃおよび図６を参照すると、エネルギー貯蔵装置４０を再充電するシステムが、本発明による一実施形態で提供され得る。算出装置２０は、エネルギー貯蔵装置４０からエネルギーを受け取る。エネルギー貯蔵装置４０は、バッテリなどのエネルギー貯蔵構成要素を含む。オプションとして、感知装置１はまた、エネルギー貯蔵装置４０を充電するために外部供給源からエネルギーを受け取るエネルギーカプラーを含んでもよい。
【００８０】
エネルギーカプラーの一例は、外部の電磁信号３１０を受信し、そのような信号を電気エネルギーに変換してエネルギー貯蔵構成要素を再充電する、誘導コイル３０８などの電磁装置である。外部電磁装置３０８が、電磁信号３１０を生成し、この電磁信号は、エネルギー貯蔵装置４０によって受信され、電気信号に変換される。エネルギー貯蔵装置４０は、算出装置２０に充電信号（charge signal）を提供することができる。算出装置２０は、充電信号を基準充電信号と比較し、低充電通信信号（low charge communication signal）を開始し、患者および／またはヘルスケア提供者に警告することができる。代わりに、電圧センサーなどの検出器は、エネルギー貯蔵装置４０の充電を監視し、充電が閾値より低くなると算出装置２０に信号を与えるために使用されてよい。電磁装置３０８は、感知装置１の近くに置かれて、エネルギー貯蔵装置４０を充電することができる。
【００８１】
代わりに、またはさらに、エネルギーは、超音波振動の形で与えられてよい。例えば、圧電性トランスデューサーが感知装置１に含まれてよい。超音波振動が、外部から与えられてよい。トランスデューサーは、超音波振動により駆動されると電気を生成する。
【００８２】
本発明は、例示的なデザインを有するものとして説明されてきたが、本発明は、本開示の趣旨および範囲内で、さらに改変されてよい。したがって、本出願は、本発明の全体的な原理を用いた、本発明のあらゆるバリエーション、使用法、または改造を含むことを意図している。さらに、本出願は、本発明が属する技術分野で既知のまたは習慣的な慣例に入る、本開示からの新発展（departures）を含むことを意図している。
【００８３】
〔実施の態様〕
（１）  信号を取得し、測定値を算出する感知装置において、
複数の信号を生成するため複数のエミッターおよび複数の検出器を含むセンサー組立体であって、前記エミッターおよび検出器は、血管の片側を向き、各エミッターは、血管に当たる前記エミッターから放射された光子のビームが前記複数の検出器に向かって部分的に反射するように向けられ、各検出器は、前記検出器により受け取られる前記放射光子を表す前記複数の信号のそれぞれを生成するように構成される、センサー組立体と、
前記複数のエミッターおよび検出器を操作し、前記複数の検出器により生成された前記複数の信号を処理して、前記血管の少なくとも１つの特性の測定値を得る、算出装置と、
前記センサー組立体および前記算出装置を取り囲むハウジングと、
を含む、感知装置。
（２）  血管、および前記血管を通って流れる血液のうち少なくとも一方の特性を光学的に測定する感知装置において、
第１の側および第２の側を有するハウジングと、
前記ハウジングに取り付けられたセンサー組立体であって、前記センサー組立体は、前記ハウジングの前記第１の側を通して光子を放射する複数のエミッター、および前記ハウジングの前記第１の側を通して前記放射光子の少なくとも一部を受け取る複数の検出器を含み、各エミッターは、別個の検出器と操作上対にされ、また、前記センサー組立体に隣接した血管に当たる前記エミッターから放射された光子のビームが前記対をなす検出器に向かって部分的に反射するように向けられ、各検出器は、前記検出器により受け取られた前記放射光子を表す信号を生成するように構成される、センサー組立体と、
前記ハウジングに取り付けられており、前記複数のエミッターを作動させ、前記検出器からの前記信号を解釈して前記特性を決定するように構成された、算出装置と、
を含む、感知装置。
（３）  信号を取得し、測定値を算出する方法において、
感知装置を提供することであって、前記感知装置は、
複数の光子エミッターおよび検出器であって、前記エミッターは、ビームを放射し、前記検出器は、ビームを検出し、前記検出されたビームに対応する複数の信号を生成し、前記エミッターおよび検出器は、血管の片側を向く、複数の光子エミッターおよび検出器、ならびに、
前記複数のエミッターおよび検出器を操作する算出装置、
を含む、提供することと、
複数の信号を得るために前記複数のエミッターおよび検出器を操作することと、
測定値を得るために前記複数の信号を処理することと、
前記血管および前記流体のうち少なくとも一方の特性を示すパラメータ値を得るために前記測定値を分析することと、
を含む、方法。
【図面の簡単な説明】
【００８４】
【図１Ａ】本発明の一実施形態による感知装置の概略的側面図である。
【図１Ｂ】図１の感知装置の、外側を向く図である。
【図１Ｃ】図１の感知装置の斜視図である。
【図２】図１の感知装置および血管の概略的側面図である。
【図３】本発明の一実施形態によるセンサー組立体および血管の概略的斜視図である。
【図４】本発明の一実施形態によるセンサー組立体、血管、放射ビーム、および反射ビームの概略的側面図である。
【図５Ａ】本発明の一実施形態によるセンサー組立体、大血管、小血管、放射ビーム、および反射ビームの概略的側面図である。
【図５Ｂ】本発明の一実施形態によるセンサー組立体、大血管、小血管、放射ビーム、および反射ビームの概略的側面図である。
【図５Ｃ】本発明の一実施形態によるセンサー組立体、大血管、小血管、放射ビーム、および反射ビームの概略的側面図である。
【図６Ａ】図１の感知装置と通信するように構成されたシステムの概略的正面図である。
【図６Ｂ】図１の感知装置と通信するように構成されたシステムの概略的側面図である。
【図７】本発明による方法のフローチャートである。
【図１Ａ】
0005497008.tif 000004
【図１Ｂ】
0005497008.tif 000005
【図１Ｃ】
0005497008.tif 000006
【図２】
0005497008.tif 000007
【図３】
0005497008.tif 000008
【図４】
0005497008.tif 000009
【図５Ａ】
0005497008.tif 000010
【図５Ｂ】
0005497008.tif 000011
【図５Ｃ】
0005497008.tif 000012
【図６Ａ】
0005497008.tif 000013
【図６Ｂ】
0005497008.tif 000014
【図７】
0005497008.tif 000015